(57)【要約】【課題】後に別の撮影ポーズをプリントしたい場合等の再注文、注文修正に、迅速かつ安価に対応することが可能である。【解決手段】プリント注文システムは、複数の撮影シーンを含む一連の撮影から一まとめにされた画像情報を撮影カットとし、注文情報により撮影カットの画像情報からプリント指定された画像情報と、プリント指定された以外の画像情報とを同時に送信するプリント注文手段１０ｂと、送信された画像情報、または送信された画像情報を示す情報を閲覧可能な状態で保管する保管手段２０ａと、プリント再注文時およびプリント注文の修正を行う場合に、前記保管された画像情報から画像選択を行うことが可能な再注文修正手段４０ａとを有する。【選択図】図１
2006072561.tif 000002
【特許請求の範囲】
【請求項１】
複数の撮影シーンを含む一連の撮影から一まとめにされた画像情報を撮影カットとし、
注文情報により前記撮影カットの画像情報からプリント指定された画像情報と、前記プリント指定された以外の画像情報とを同時に送信するプリント注文手段と、
前記送信された画像情報、または前記送信された画像情報を示す情報を閲覧可能な状態で保管する保管手段と、
プリント再注文時およびプリント注文の修正を行う場合に、前記保管された画像情報から画像選択を行うことが可能な再注文修正手段とを有することを特徴とするプリント注文システム。
【請求項２】
前記再注文手段が、前記画像情報を表示する際にプリント指定された画像情報と、プリント指定された以外の画像を分別が可能な形で表示可能であることを特徴とする請求項１に記載のプリント注文システム。
【請求項３】
前記保管手段が、画像情報を保管する保管箱を有し、前記保管する画像情報は一定の保管期限経過後に削除することを特徴とする請求項１及び請求項２に記載のプリント注文システム。
【請求項４】
前記保管手段が、顧客ＩＤ、注文日、撮影日時、発注者ＩＤの少なくともいずれかを含む検索機能を有することを特徴とする請求項１乃至請求項３のいずれか１項に記載のプリント注文システム。
【発明の詳細な説明】
【技術分野】
【０００１】
この発明は、プリント注文システムに関する。
【背景技術】
【０００２】
従来より、被写体について視覚的に識別できる画像を記録する技術として、被写体の画像を写真感光材料に記録する写真技術が知られ、例えば写真館、イベント会場等のスタジオにおいて、記念撮影等に多く使用されている。ところで、写真によって被写体を撮影すると、現像するまでの間は被写体の写り具合を知ることはできず、写り具合がわかるまでに時間がかかり、写真が気に入らなければ撮影をやり直すことになって多くの時間が無駄になるという問題がある。
【０００３】
このために、例えば、画像を写真感光材料に記録する主カメラと、主カメラの視野の少なくとも一部を視野とする画像を電気信号に変換する補助カメラと、主カメラのシャッタの開放に同期して補助カメラで得た静止画像を表示する表示手段とを備え、複数枚の写真を次々に撮影する場合にあっては写り具合のもっともよい写真を選択した後に焼付・現像を行うものがある（例えば、特許文献１、特許文献２）。
【０００４】
従来、補助カメラとして使用していたデジタルカメラが高性能化してきたことや、デジタルミニラボやインクジェットプリンタの高画質化に伴い、デジタルカメラを主カメラとして使用することも可能となってきた。
【特許文献１】特開平６−２７３８４７号公報（第１頁〜第６頁、図１〜図２）
【特許文献２】特公平７−１１３７３３号公報（第１頁〜第６頁、図１〜図２）
【発明の開示】
【発明が解決しようとする課題】
【０００５】
ところで、例えば写真館のスタジオにおいて、七・五・三の祝い、学生の入学・卒業、成人式等の撮影では、目的ごとに所定のポーズを撮影するが実際にその場でプリント注文として使用するのはその撮影シーンのうちの一部にすぎず、後で別のポーズの撮影シーンの画像をプリントしたい画像と差し替えたい場合がある。
【０００６】
この発明は、かかる点に鑑みてなされたもので、後に別のポーズの撮影シーンをプリントしたい場合等の再注文、注文修正に、迅速かつ安価に対応することが可能なプリント注文システムを提供することを目的としている。
【課題を解決するための手段】
【０００７】
前記課題を解決し、かつ目的を達成するために、この発明は、以下のように構成した。
【０００８】
請求項１に記載の発明は、複数の撮影シーンを含む一連の撮影から一まとめにされた画像情報を撮影カットとし、
注文情報により前記撮影カットの画像情報からプリント指定された画像情報と、前記プリント指定された以外の画像情報とを同時に送信するプリント注文手段と、
前記送信された画像情報、または前記送信された画像情報を示す情報を閲覧可能な状態で保管する保管手段と、
プリント再注文時およびプリント注文の修正を行う場合に、前記保管された画像情報から画像選択を行うことが可能な再注文修正手段とを有することを特徴とするプリント注文システムである。
【０００９】
請求項２に記載の発明は、前記再注文手段が、前記画像情報を表示する際にプリント指定された画像情報と、プリント指定された以外の画像を分別が可能な形で表示可能であることを特徴とする請求項１に記載のプリント注文システムである。
【００１０】
請求項３に記載の発明は、前記保管手段が、画像情報を保管する保管箱を有し、前記保管する画像情報は一定の保管期限経過後に削除することを特徴とする請求項１乃至請求項３のいずれか１項に記載のプリント注文システムである。
【００１１】
請求項４に記載の発明は、前記保管手段が、顧客ＩＤ、注文日、撮影日時、発注者ＩＤの少なくともいずれかを含む検索機能を有することを特徴とする請求項１乃至請求項３のいずれか１項に記載のプリント注文システムである。
【発明の効果】
【００１２】
前記構成により、この発明は、以下のような効果を有する。
【００１３】
請求項１に記載の発明によれば、複数の撮影シーンを含む一連の撮影から一まとめにされた画像情報を撮影カットとし、注文情報により撮影カットの画像情報からプリント指定された画像情報と、プリント指定された以外の画像情報とを同時に送信し、この送信された画像情報、または送信された画像情報を示す情報を閲覧可能な状態で保管し、プリント再注文時およびプリント注文の修正を行う場合に、保管された画像情報から画像選択を行うことが可能であり、後に別の撮影シーンをプリントしたい場合等の再注文、注文修正に、迅速かつ柔軟に対応することが可能である。
【００１４】
請求項２に記載の発明によれば、画像情報を表示する際にプリント指定された画像情報と、プリント指定された以外の画像を分別が可能な形で表示可能であり、プリントに使用、不使用を簡易に確認することができる。
【００１５】
請求項３に記載の発明によれば、画像情報を保管する保管箱を有し、保管される画像情報は一定の保管期限経過後に削除し、例えば年賀状などでの再利用を促すことができる。
【００１６】
請求項４に記載の発明によれば、顧客ＩＤ、注文日、撮影日時、発注者ＩＤの少なくともいずれかを含む検索機能を有し、後に別の撮影ポーズをプリントしたい場合等の検索が容易で再注文、注文修正に、迅速に対応することが可能である。
【発明を実施するための最良の形態】
【００１７】
以下、この発明のプリント注文システムの実施の形態について説明する。この発明の実施の形態は、発明の最も好ましい形態を示すものであり、この発明はこれに限定されない。
【００１８】
図１はプリント注文システムの概略構成図である。この実施の形態のプリント注文システムは、写真館１の端末１０、センター２のサーバ２０、ラボ３の端末３０、顧客４の端末４０がネットワーク５でそれぞれ接続された構成である。ネットワーク５は、インターネットで構成されるが、他の通信回線でも良い。
【００１９】
写真館１には、写真撮影スタジオが設置される。写真撮影スタジオのカメラ１１は例えばデジタルカメラで構成され、被写体の撮影を行い、この撮影した画像情報を端末１０に送る。写真撮影スタジオでは、被写体に対して撮影が行われるが、それぞれの撮影はカット単位で行われる。ここでカットとは１回の撮影で長時間に渡って、服装や髪型の外見を変えたり、更には立ったり座ったりのようにポーズを変えたり、正面や横から撮影したり、また七・五・三などの場合、対象の本人のみや家族が全員で映るなど色々な条件での撮影が行われる。
【００２０】
このように複数の画像を撮影する場合、ある単位で撮影を区切ってその一つ一つの単位を撮影カットとして定義する。例えば図２（ａ）に示すように、服１、服２による撮影をそれぞれの撮影カットとしても良いし、図２（ｂ）に示すように服１のポーズ１、ポーズ２などのようにポーズの単位で撮影カットとしても良い。また、図２に（ｃ）に示すように一定時間毎に撮影カットとしての区切りを入れても良い。
【００２１】
端末１０のコンピュータは、記憶手段１０ａと、プリント注文手段１０ｂとを有する。記憶手段１０ａではカメラ１１を用いて撮影された複数の撮影ポーズの画像情報を、後述するような複数のカットに分割して記憶する。プリント注文手段１０ｂは、前記カットの中から画像情報を選択してプリント指定し、注文情報を送信するときにはプリント指定した画像情報とプリントには未使用の画像情報を併せて送信を行う。注文情報には、撮影を行う写真館などを表す顧客ＩＤ、注文日、撮影日時、写真館への顧客を表す発注者ＩＤの少なくともいずれかを含む情報を含み、更にはプリント枚数やサイズ、テンプレート、テンプレート上での画像合成情報などを含む。
【００２２】
このプリント注文手段１０ｂでは、画像情報を表示する際にプリント指定された画像情報と、プリント指定された以外の画像を分別が可能な形で表示可能であり、プリントに使用、不使用を簡易に確認することができる。
【００２３】
センター２は、サーバ２０を有する。このサーバ２０は、写真館１の端末１０から送信された画像情報をインターネット等のネットワーク５を用いて閲覧可能な状態で保管する保管手段２０ａを有する。例えば、端末１０から送信された画像情報を写真館所有名義でセンター２の保管箱２０ａ１に保管する。保管手段２０ａは、画像情報と共に、顧客ＩＤ、注文日、撮影日時、発注者ＩＤの少なくともいずれかを含む項目が検索可能な検索機能２０ａ２とを有する。
【００２４】
保管箱２０ａ１に保管する画像情報は、一定の保管期限経過後に削除し、例えば、七五三や成人式、結婚式などで写真館１で撮影した画像情報の保管を年末まで行ない、例えば年賀状などでの再利用を促し、年末が過ぎると削除する。
【００２５】
検索機能２０ａ２は、顧客ＩＤ、注文日、撮影日時、発注者ＩＤの少なくともいずれかを含み、この顧客ＩＤ、注文日、撮影日時、発注者ＩＤの少なくともいずれかの項目に基づいて検索し、カット各の画像情報中からプリント指定の再注文、注文修正を容易に行うことができる。
【００２６】
ラボ３に設置される端末３０のコンピュータは、注文情報でプリント指定されたデータをサーバ２０から受け取り、この注文情報に基づきプリントする。また、再注文修正手段３０ａは顧客ＩＤや発注者ＩＤを参照して、再注文の要求に基づいて、再注文や新規注文を受け付けることが可能である。この場合、画像情報を参照することになるが、プリントに使用できるような高品位な画像情報への参照は許可せず、サムネイルなどの表示確認用に用いる縮小画像のみを参照することが可能である。
【００２７】
顧客４、あるいは取次店が所有する端末４０のコンピュータは、再注文修正手段４０ａを有する。それぞれの再注文修正手段４０ａは保管された撮影カットの撮影ポーズの画像情報中からプリント指定の再注文、注文修正を行う。この再注文修正手段４０ａは、顧客４、あるいは取次店が所有する端末４０のコンピュータのいずれかに備えられていればよい。顧客は、顧客自身、あるいは取次店を介してプリント指定の再注文、注文修正を行なう。
【００２８】
次に、異なる複数の撮影シーンの画像情報を同一の撮影カットとして送信する実施の形態を、図２（a）,（ｂ）に示す。この実施の形態では、例えば、七五三で服を変えている。服１では、ポーズを５通りに変え、服２でもポーズを５通りに変えて撮影したものであり、これらの撮影シーンを撮影カット１、撮影カット２とする。撮影カット１のポーズの画像情報の内からプリント指定された画像情報がポーズ２，５とし、このポーズ２とプリント指定された以外の画像情報のポーズ１，３，４とを同時に送信し、撮影カット２のポーズの画像情報の内からプリント指定された画像情報がポーズ４とし、このポーズ４とプリント指定された以外の画像情報のポーズ１，２，３，５とを同時に送信して保管する。
【００２９】
なお、それぞれのポーズにおいても微妙な表情の変化があるために複数回撮影して良い表情の画像を選ぶ場合が多く、このような場合にはカット選択時にそれぞれのポーズの代表画像として、ここで選択しておいた画像をアップするようにしても良い。
【００３０】
次に、画像表示中にプリント注文済みとプリント注文に未使用の画像情報を分離または区別して表示する実施の形態を、図３に示す。図３（ａ）の実施の形態では、プリント注文済みとプリント注文に未使用の表示枠５０ａ，５０ｂの色を変えて表示する。また、表示頁を変えてもよい。図３（ｂ）の実施の形態では、プリント注文済みとプリント注文に未使用のプリントレイアウト５１ａ，５１ｂの形を変えて表示する。図３（ｃ）の実施の形態では、ポーズの一覧表にプリント注文済みの印５２を表示する。
【００３１】
図４はプリント注文システムのフロチャートである。この実施の形態では、顧客４が例えば七五三の記念写真を撮影する場合、写真館１に行き、受付を行なう。写真館１では、写真撮影スタジオで異なる複数のポーズの撮影を行ない、プリントする画像選択を行ない、注文情報を作成する。
【００３２】
異なる複数のポーズの撮影シーンの画像情報を同一の撮影カットとし、注文情報により撮影シーンの画像情報の内からプリント指定された画像情報とプリント指定された以外の画像情報とを同時にセンターへ送信する。
【００３３】
センター２では、保管箱２０ａ１に注文情報を一時保管し、ラボ３へ送信し、ラボ３では注文情報に基づきプリントを作成する。ラボ３は、作成したプリントを写真館１へ配送する。顧客４は、写真館１で受け取る。
【００３４】
顧客４は、再注文、あるいは注文修正を行う場合、再注文情報をセンター２へ送信する。センター２では、顧客ＩＤ、注文日、撮影日時、発注者ＩＤの少なくともいずれかを含む情報から検索し、再注文情報と注文情報とを参照し、画像サービス情報を顧客４へ送信する。顧客４では、画像情報又は、サムネイルなどの元の画像を示すための簡易的な画像情報により閲覧可能である。
【００３５】
センター２では、新規プリントの発注のみを許可し、画像情報のダウンロードは不許可であり、画像情報が再注文、注文修正に限定して利用することができるようにしている。
【００３６】
顧客４は、画像情報を閲覧する。この閲覧による画像表示中には、プリント注文済みとプリント注文に未使用の画像情報を分離または区別して表示してあり、プリントに使用、不使用を簡易に確認することができる。
【００３７】
顧客４は、保管された撮影カットの撮影シーンの画像情報中からプリント指定の再注文、注文修正を行う注文情報をセンター２へ送信する。
【００３８】
センター２では、保管箱２０ａ１にプリント指定の再注文、注文修正を行う注文情報を一時保管し、ラボ３へ送信し、ラボ３では注文情報に基づきプリントを作成する。ラボ３は、作成したプリントを写真館１へ配送する。顧客４は、写真館１で受け取る。
【００３９】
画像情報を保管する保管箱２０ａ１は、保管する画像情報を一定の保管期限経過後に削除し、例えば年賀状などでの再利用を促す。例えば年賀状作成期限は、その年の１２月２５日までなどとする。
【産業上の利用可能性】
【００４０】
この発明は、後に別のポーズの撮影シーンをプリントしたい場合、保管された撮影カットの撮影シーンの画像情報中からプリント指定の再注文、注文修正を行うことで、迅速かつ安価に対応することが可能なプリント注文システムに適用できる。
【図面の簡単な説明】
【００４１】
【図１】プリント注文システムの概略構成図である。
【図２】異なる複数の撮影シーンの画像情報を同一の撮影カットとして送信する実施の形態を示す図である。
【図３】画像表示中にプリント注文済みとプリント注文に未使用の画像情報を分離または区別して表示する実施の形態を示す図である。
【図４】プリント注文システムのフロチャートである。
【符号の説明】
【００４２】
１  写真館
２  センター
３  ラボ
４  顧客
５  ネットワーク
１０  写真館１の端末
１０ｂ  プリント注文手段
２０  センター２のサーバ
２０ａ  保管手段
３０  ラボ３の端末
４０  顧客４の端末
４０ａ  再注文修正手段
【図１】
2006072561.tif 000003
【図２】
2006072561.tif 000004
【図３】
2006072561.tif 000005
【図４】
2006072561.tif 000006